(57)【要約】      （修正有）【課題】ファイルケースに中ポケットを含んで表と裏の計３個のポケットを形成し、資料を細区分し、収納と取り出しを容易にしたファイルケースを提供する。【解決手段】上向きに二つ折りしたケース本体１内にＶ形の仕切シート２を挟み入れて下端を含む側周をウェルダー溶着止めして中ポケット４と表ポケット５および裏ポケット６の３ポケットを形成する。さらに、該Ｖ形仕切シートのそれぞれの上端を外折り延長して表ポケットの蓋カバー７と裏ポケットの蓋カバー８とを形成し、表ポケットと裏ポケットに設ける表面印刷と背面印刷とにより、資料の出し入れによって表裏重なり形をした二重の印刷面または一重の印刷面が外視されるようにしてファイルケースを構成する。【選択図】図１
0003173306.tif 000002
【実用新案登録請求の範囲】
【請求項１】
上向きに二つ折りしたケース本体内にＶ形の仕切シートを挟み入れて下端を含む側周をウェルダー溶着止めして中ポケットと表ポケットおよび裏ポケットの３ポケットを形成し、且つ該Ｖ形の仕切シートのそれぞれの上端を外折り延長して表ポケットの蓋カバーと裏ポケットの蓋カバーとを形成したことを特徴とする３ポケット付きファイルケース。
【請求項２】
ケース本体内に垂直の仕切シートを挟入して表ポケットと裏ポケットを形成し、且つ該仕切シートの外折り延長にて表ポケットまたは裏ポケットの蓋カバーを形成するようにした請求項１記載のファイルケース。
【請求項３】
表ポケットと裏ポケットに表面印刷と背面印刷とを形成して、資料の出し入れによって表裏重なりの二重形または一重の印刷面が外視されるようにした請求項１または２に記載のファイルケース。
【考案の詳細な説明】
【技術分野】
【０００１】
この考案は３ポケット付きファイルケースに関するものある。
【背景技術】
【０００２】
従来、この種のファイルケースとしては実開昭６４−４２１８０号公報がある。該公報はケースとして二つ折りした樹脂フィルム内に一枚の仕切フィルムを入れてＷポケットを形成することを記載している。
【特許文献１】実開昭６４−４２１８０号公報
【考案の開示】
【考案が解決しようとする課題】
【０００３】
しかしながら、Ｗポケットでは今日の情報化社会においては資料を細区分して収容するために、なおポケット数が不足しているという課題がある。また該公報のポケットは蓋カバーがないために収容した資料が抜け出したり，飛び出したりして紛失するおそれが生ずる。
また、該公報のファイルケースは仕切フィルムの上方の突出し部分に細幅のネーム等の書き込み枠を設けているほかは印刷面に欠けているという課題がある。
【課題を解決するための手段】
【０００４】
本考案は、ファイルケース内の仕切シートをＶ形にして中，表，裏の３ポケットを形成するほか、Ｖ形の仕切シートのそれぞれの上端を外折り延長して表側ポケットと裏側ポケットの双方の蓋カバーを形成し、さらに資料の出し入れにより二重と一重の印刷面が外視されるようにポケットに表面印刷と背面印刷を形成してファイルケースを構成して、かかる課題を解決するようにしたのである。
【考案の効果】
【０００５】
本考案は、ファイルケースに中ポケットを含んで表と裏の計３個のポケットを形成したので、資料の細区分した収納と取り出しが著しく容易になるという効果を生ずる。
【０００６】
Ｖ形の仕切シートのそれぞれの上端の外折り延長にて表，裏のポケットの蓋カバーを形成したので、ポケット内の資料等の飛び出し，抜け出しがなくなるという効果を生ずる。
【０００７】
ポケットに表面印刷と背面印刷とを形成したので、表，背を複合した印刷面が外視されるという効果を生ずる。
【図面の簡単な説明】
【０００８】
【図１】第１実施例を示すもので、（ａ）は蓋カバーを展開した状態にて示す斜視図、（ｂ）は縦断側面視した説明図
【図２】同、表面印刷と背面印刷を形成した状態で、（ａ）は二重印刷が外視されている状態を示す正面図、（ｂ）は蓋カバーを展開してポケット内に資料Ｓを収容したことで表面印刷のみが見えている状態を示す正面図、
【図３】第２実施例の説明図で、（ａ）の左側は仕切シートの背面印刷と蓋カバーの印刷面、右側は表ポケットの表面印刷を部材別にて示す正面斜視図、（ｂ）はファイルケースに組立てた状態にて蓋カバーを被せて表裏の印刷面に蓋カバーの印刷面が重なった三重の印刷面が外視される状態を示す正面図
【図４】第３実施例を縦断側面視した説明図
【符号の説明】
【０００９】
１はケース本体
２はＶ形の仕切シート
２ａは垂直の仕切シート
３はウェルダー溶着止め
４は中ポケット
５は表ポケット
６は裏ポケット
７は表ポケットの蓋カバー
７ａは表または裏ポケットの蓋カバー
８は裏ポケットの蓋カバー
９は表面印刷
１０は背面印刷
１１は蓋カバーの印刷面
Ｓは資料
【考案を実施するための形態】
【００１０】
本考案は、上向きに二つ折りしたケース本体内にＶ形の仕切シートを挟み入れるとともに下端を含む側周をウェルダー溶着止めして中ポケットと表ポケットおよび裏ポケットの３ポケットを形成し、該Ｖ形の仕切シートのそれぞれの上端の外折り延長にて表，裏ポケットの蓋カバーを形成し、さらに表ポケットと裏ポケットに表面印刷と背面印刷を形成して、資料の出し入れによって表裏の印刷面が複合して外視されるようにして、ファイルケースを構成する。
【実施例１】
【００１１】
図１乃至図２は本考案の第１実施例のファイルケースであって、樹脂シートにて上向きに二つ折りしてなるケース本体１内にＶ形の仕切シート２を挟入し、下端を含む側周をウェルダー溶着止め３して、以って中ポケット４，表ポケット５および裏ポケット６の３ポケットを形成し、Ｖ形の仕切シート２の上端のそれぞれを外折り延長して表，裏ポケット５，６の蓋カバー７，８を形成する。さらに図２に示すように、表，裏ポケット５，６のずれた位置に、例えば表面印刷９にＡ，Ｃ，Ｅ，Ｇのアルファベッド文字の印刷を間隔を置いて形成し、背面印刷１０にＢ，Ｄ，Ｆのアルファベッド文字を表面印刷の文字間に位置するように形成して、ポケット５，６内に資料等Ｓを入れないときは図２（ａ）に示すように表面印刷９と背面印刷１０のアルファベッド文字が複合してＡ，Ｂ，Ｃ，Ｄ，Ｅ，Ｆ，Ｇが並んだ印刷面として外視され、資料等Ｓを入れたときは図２（ｂ）に示すように背面印刷１０が資料によってかくれることで表面印刷９のＡ，Ｃ，Ｅ，Ｇのみが外視されるようになる。このほか、表面印刷９に景色、背面印刷１０に雪の印刷を形成して重なると雪景色が外視されるようにしたり、表面印刷９に問題、背面印刷１０に解答の印刷を形成するなどとすることで様々な複合印刷面を外視することができることとなる。
【００１２】
なお、Ｖ形の仕切シート２は上端の一方のみを外折り延長して表か裏のポケットの蓋カバーを形成して、他方のポケットを開放型にして資料などを取り出しやすくすることもある。また表面印刷９を透明とし、背面印刷１０を不透明にして表面印刷を透して二重の図柄が外視されるようにする。
【実施例２】
【００１３】
図３は第２実施例であって、ポケットの表面印刷９と背面印刷１０に加えて蓋カバーにも印刷面１１を形成して三重の印刷面として外視されるようにしたものである。前実施例と同じように背面印刷１０にＡ，Ｇのアルファベッドの文字印刷を形成し、表面印刷９としてＣ，Ｄ，Ｅのアルファベッド文字を形成し、仕切シートの延長にてなる蓋カバー７の印刷面１１としてＢ，Ｆのアルファベッド文字を逆さに形成し、資料などを入れないときは図３（ｂ）に示すように三重の印刷面として外視されるようにしたのである。
【実施例３】
【００１４】
図４はファイルケースの第３実施例であって、上向きに二つ折りした本体１内に垂直の仕切シート２ａを挟み入れて下端を含む側周をウェルダー溶着止め３して、表ポケット５と裏ポケット６の２個を形成した例を示している。なお該仕切シート２ａの上端を外折り延長して表ポケット５または裏ポケット６の蓋カバー７ａを形成するようにすることもある。その他の構成と作用は第１実施例と同じである。
【産業上の利用可能性】
【００１５】
本考案は、資料等を収容し携帯するファイルケースにポケットを２〜４個などに増減し、表面と背面印刷とにより二重複合形または一重の印刷面が外視されるようにしたことで広く利用されるものである。
【図１】
0003173306.tif 000003
【図２】
0003173306.tif 000004
【図３】
0003173306.tif 000005
【図４】
0003173306.tif 000006